(57)【要約】【課題】  上下方向に積み重ねされた包装用箱の運搬時などにおける妄動の抑制を図る。【解決手段】  ４枚の側板１２、１４、１６、１８と４枚の底板２４、２６、２８、３０からなる折り畳み自在な方形状の包装用箱１０Ａにおいて、対向する一方の一組の側板１４、１８が対向する他方の一組の側板１２、１６の高さより高く設けられ、かつ、一方の一組の側板は底側が開口部に比較して長く台形に設けられ、他方の一組の側板は底側が開口部に比較して短く倒立台形に設けられてなるものである。【選択図】        図２
2006327635.tif 000002
【特許請求の範囲】
【請求項１】
共通の横方向の折り目３２を境にしてその一側に倒立台形の第１の側板１２、台形の第２の側板１４、第１の側板１２と共通の倒立台形の第３の側板１６および第２の側板１４と共通な台形の第４の側板１８が互いに隣接するそれぞれの縦方向に傾斜した第１の折り目２０ａ、第２の折り目２０ｂ、第３の折り目２０ｃを介して一連不可分に設けられ、
一方、前記の横方向の折り目３２を境にしてその他側に第１の底板２４、第２の底板２６、第３の底板２８および第４の底板３０が設けられるとともに、第１の底板２４は第１の側板１２に、第２の底板２６は第２の側板１４に、第３の底板２８は第３の側板１６に、第４の底板３０は第４の側板１８に前記の横方向の折り目３２を介してそれぞれ連設され、
第２の側板１４および第４の側板１８のそれぞれの高さαが第１の側板１２および第３の側板１６の高さβに比較して高く設定され、
第１の側板１２と第３の側板１６において、横方向の折り目３２と平行側のそれぞれの外側縁に横方向の折り目３２と平行な差込片３６がそれぞれ設けられ、
第１の側板１２と第１の底板２４の境、第３の側板１６と第３の底板２８の境に前記のそれぞれの差込片３６に対応した差込孔３８がそれぞれ設けられ、
第１の側板１２、第２の側板１４、第３の側板１６および第４の側板１８が縦方向の第１の折り目２０ａ、第２の折り目２０ｂ、第３の折り目２０ｃを介して
それぞれ内側に折曲されることにより、平面から見て方形に組み合わされ、
第１の底板２４、第２の底板２６、第３の底板２８および第４の底板３０が横方向の折り目３２を介してそれぞれが内側に向けて直角方向に折曲され、互いに干渉状態に組み合わせられることにより、包装箱本体の底部が設けられるてなることを特徴とする包装用箱。
【請求項２】
第１の側板１２と第４の側板１８のそれぞれの外側に、一組の係止片２２ａ、２２ｂが対称に設けられ、
一方の係止片２２ａと第１の側板１２との境において、第１の側板１２の一方の係止片２２ａ側の輪郭に沿わせ、第１の側板１２の外側から横方向の折り目３２に向けて該係止片２２ａの途中まで内側に傾斜した係止片用折り目２０ｄが設けられるとともに該係止片用折り目２０ｄの延長先に該係止片用折り目２０ｄの傾斜勾配と共通の勾配による切り込み３４ａが設けられ、
第４の側板１８と他方の係止片２２ｂの境において、一方の係止片２２ａと第１の側板１２との境に設けられた前記の係止片用折り目２０ｄおよび切り込み３４ａと対称な係止片用折り目２０ｅおよび切り込み３４ｂが設けられ、
前記の一対の係止片２２ａ、２２ｂがそれぞれの係止片用折り目２０ｄ、２０ｅを介して内側に向けて直角方向に折曲されるとともに、それぞれの切り込み３４ａ、３４ｂが互いに嵌合されてなることを特徴とする請求項１記載の包装用箱
。
【請求項３】
第１の底板２４の外側であって、第１の側板１２と反対側に横方向の折り目３２と平行な仕切用の折り目５２ａを境にして第１の仕切板５２が設けられ、
該第１の仕切板５２と該第１の側板１２間の中央部に仕切板用スリット６０が設けられるとともに、第１の仕切板５２の該仕切板用スリット６０の延長線上の外側から第１の仕切板５２の途中まで別の仕切板用スリット５２ｃが設けられ、
第２の底板２６の外側であって、第２の側板１４と反対側に横方向の折り目３２と平行な仕切用の折り目５４ａを境にして第２の仕切板５４が設けられるとともに、該仕切用の折り目５４ａと直角方向に第２の仕切板５４の中央部の外側から該仕切用の折り目５４ａにかけて仕切板用スリット５４ｃが設けられ、
該第３の底板２８の外側であって、第３の側板１６と反対側に横方向の折り目３２と平行な仕切用の折り目５６ａを境にして第１の仕切板５２と共通な構成による第３の仕切板５６が設けられ、
該第４の底板３０の外側であって、第４の側板１８と反対側に横方向の折り目３２と平行な仕切用の折り目５８ａを境にして第２の仕切板５４と共通な構成による第４の仕切板５８が設けられ、
第１の側板１２、第２の側板１４、第３の側板１６および第４の側板１８が縦方向の第１の折り目２０ａ、第２の折り目２０ｂ、第３の折り目２０ｃを介して
それぞれ内側に折曲されることにより、平面から見て方形に組み合わされ、
第１の仕切板５２および第３の仕切板５６をそれぞれの仕切用の折り目５２ａ、５６ａを介して内側へ直角方向に折曲させるとともに、第１の底板２４および第３の底板２８を前記の第１の仕切板５２および第３の仕切板５６と併せ、前記の横方向の折り目３２を介して内側へ直角方向に折曲させることにより、内側の包装箱本体の底部を設け、
第２の仕切板５４および第４の仕切板５８をそれぞれの仕切用の折り目５４ａ、５８ａを介して内側へ直角方向に折曲させるとともに、第２の底板２６および第４の底板３０を前記の第２の仕切板５４および第４の仕切板５８と併せ、前記の横方向の折り目３２を介して内側へ直角方向に折曲させることにより、前記の第２の仕切板５４および第４の仕切板５８をそれぞれ第１の底板２４および第３の底板２８の設けられた該仕切板用スリット６０、６０に挿入することにより
、外側の包装箱本体の底部が設けられてなることを特徴とする請求項１または２記載の包装用箱。
【発明の詳細な説明】
【技術分野】
【０００１】
この発明は、物品の包装を行う折りたたみ自在な包装用箱に関するものである
。
【背景技術】
【０００２】
この種の包装用箱は業務用に使用される場合が一般的であるから、とりわけ、使い勝手の良さが要求されることのほか、被包装物たとえば苺を入れた個包装箱が包装用箱内に収納され、上下方向に多数の包装用箱が積み重ねられて搬送されたり、保管されることが多いから、妄動の抑制や荷崩れによる包装用箱や被包装物の損傷の防止などの要請があった。
また、最近では、使用後の廃棄処分や再生活用に備えて解体し易い構造のものが要請された。
【０００３】
そこで、前記の問題点を解消することを目的として、特開平９−２０７９４０号公報（特許文献１）記載された発明が知られていた。
特許文献１の発明は、１枚の底面板の両側に倒立台形の側面板が折り目を介して設けられ、両側の側面板の外側に折り目を境にして前記の側面板と略対称な台形であって、両側に繋止突起を備えた第１の側面内板が設けられている。
【０００４】
底面板と側面板の境の折り目線上に一対の繋止孔が設けられ、側面板と第１の側面内板の折り目に、切り込みにより逆Ｕ字状の一対の繋止突起が前記した繋止孔に対応させて設けられている。
【０００５】
一方、前後の側面板と倒立台形の側面板の四隅に二つ折りにでき、２片の補助繋止突起と前後の側面板側に繋止孔を備えた略扇形の製箱片が４片設けられてなる。
【０００６】
さらに、前後の側面板の外側に折り目を介して第２の側面内板が設けられ、この第２の側面内板と製箱片の境の折り目線上に第１の側面内板の繋止突起に対応させた切り欠きを備えた包装用台紙が設けられている。
倒立台形の側面板と前後の側面板の高さは同一であり、第１の側面内板と第２の側面内板の高さは側面板の高さより低いものである。
【０００７】
そして、この包装用台紙の製箱片を折り目を介して二つ折りにするとともに、この製箱片を併せて倒立台形の側面板の傾斜した折り目を境にして側面板側に折曲させ、一方、第１の側面内板を倒立台形の側面板との境の折り目を介して内側に折曲させることにより、逆Ｕ字状の一対の繋止突起を切り込みから飛び出させと併せて、製箱片に設けられた補助繋止突起を逆Ｕ字状の繋止突起を設けた切り込み内に挿入させ、１片の逆Ｕ字状の繋止突起と２片の補助繋止突起により、三重の突起により係止され、さらに、第２の側面内板が内側に折曲されることにより、第１の側面内板の両側に設けられた両側の繋止突起を第２の側面内板の切り欠きに挿入し、第１の側面内板、製箱片および第２の側面内板をそれぞれ内側に折曲させた包装用箱などであった。
【０００８】
したがって、この包装用箱を上下方向に積み重ねた場合、下方に位置する包装用紙器の三重の繋止突起を上方に位置する底片と倒立台形の側面板の境の繋止孔に挿入できるから、上下方向に積み重ねた包装用紙器を妄動しないようにでき、繋止突起が三重であることにより、曲がったり破れることが少ないなどの点で評価できる。
【０００９】
しかし、背景技術は、第１の側面内板、製箱片、第２の側面内板を設ける点、しかも、製箱片の外周に２片の補助繋止突起を設ける点、など構造の簡素化が要請されるこの種の物品において、構造が複雑であり、その上、第１の側面内板、製箱片、第２側面内板をそれぞれ内側に折曲せざるを得ない手間を必須とするなど生産上のみならず使用時の組立において煩雑さがあった。
【００１０】
三重の突起を繋止孔に挿入することにより、上下方向に積み重ねた包装用紙器を妄動しないように図られているものの、単に繋止突起が繋止孔へ挿入されているのに止まり、側面板の規制は放置されているから、トラック輸送時や店頭展示時の比較的僅かな衝撃により三重の突起が繋止孔から抜け出て、積み重ねられた包装用箱が転倒するおそれがあった。
【００１１】
前記した背景技術のほか、特許文献１には、他の実施例として二重の繋止突起を繋止孔に挿入する構成が記載されているものの、その構成に変化はなく、前記の問題点を解消するものではない。
【特許文献１】特開平９−２０７９４０号公報
【発明の開示】
【発明が解決しようとする課題】
【００１２】
解決しようとする問題点は、使い勝手の良さに欠けること、組立ておよび解体に煩雑なこと、そして、側面板が規制されていないことと相俟って、比較的僅かな衝撃により、突起が繋止孔から抜け出て、積み重ねられた包装用箱が転倒するおそれのある点などである。
【課題を解決するための手段】
【００１３】
上記の目的を達成するため、この発明の第１番目の発明の課題解決手段は、
共通の横方向の折り目を境にしてその一側に倒立台形の第１の側板、台形の第２の側板、第１の側板と共通の倒立台形の第３の側板および第２の側板と共通な台形の第４の側板が互いに隣接するそれぞれの縦方向に傾斜した第１の折り目、第２の折り目、第３の折り目を介して一連不可分に設けられ、一方、前記の横方向の折り目を境にしてその他側に第１の底板、第２の底板、第３の底板および第４の底板が設けられるとともに、第１の底板は第１の側板に、第２の底板は第２の側板に、第３の底板は第３の側板に、第４の底板は第４の側板に前記の横方向の折り目を介してそれぞれ連設され、第２の側板および第４の側板のそれぞれの高さが第１の側板および第３の側板の高さに比較して高く設定され、
第１の側板と第３の側板において、横方向の折り目と平行側のそれぞれの外側縁に横方向の折り目と平行な差込片がそれぞれ設けられ、第１の側板と第１の底板の境、第３の側板と第３の底板の境に前記のそれぞれの差込片に対応した差込孔がそれぞれ設けられ、第１の側板、第２の側板、第３の側板および第４の側板が縦方向の第１の折り目、第２の折り目、第３の折り目を介してそれぞれ内側に折曲されることにより、平面から見て方形に組み合わされ、第１の底板、第２の底板、第３の底板および第４の底板が横方向の折り目を介してそれぞれが内側に向けて直角方向に折曲され、互いに干渉状態に組み合わせられることにより、包装箱本体の底部が設けられるてなることを特徴とする包装用箱。
【００１４】
上記の目的を達成するため、この発明の第２番目の発明の課題解決手段は、第１番目の発明の課題解決手段において、第１の側板と第４の側板のそれぞれの外側に、一組の係止片が対称に設けられ、一方の係止片と第１の側板との境において、第１の側板の一方の係止片側の輪郭に沿わせ、第１の側板の外側から横方向の折り目に向けて該係止片の途中まで内側に傾斜した係止片用折り目が設けられるとともに該係止片用折り目の延長先に該係止片用折り目の傾斜勾配と共通の勾配による切り込みが設けられ、第４の側板と他方の係止片の境において、一方の係止片と第１の側板との境に設けられた前記の係止片用折り目および切り込みと対称な係止片用折り目および切り込みが設けられ、前記の一対の係止片がそれぞれの係止片用折り目を介して内側に向けて直角方向に折曲されるとともに、それぞれの切り込みが互いに嵌合されてなることを特徴とする包装用箱。
【００１５】
上記の目的を達成するため、この発明の第３番目の発明の課題解決手段は、第１番目または第２番目の発明の課題解決手段において、
第１の底板の外側であって、第１の側板と反対側に横方向の折り目と平行な仕切用の折り目を境にして第１の仕切板が設けられ、該第１の仕切板と該第１の側板間の中央部に仕切板用スリットが設けられるとともに、第１の仕切板の該仕切板用スリットの延長線上の外側から第１の仕切板の途中まで別の仕切板用スリットが設けられ、第２の底板の外側であって、第２の側板と反対側に横方向の折り目と平行な仕切用の折り目を境にして第２の仕切板が設けられるとともに、該仕切用の折り目と直角方向に第２の仕切板の中央部の外側から該仕切用の折り目にかけて仕切板用スリットが設けられ、該第３の底板の外側であって、第３の側板と反対側に横方向の折り目と平行な仕切用の折り目を境にして第１の仕切板と共通な構成による第３の仕切板が設けられ、該第４の底板の外側であって、第４の側板と反対側に横方向の折りと平行な仕切用の折り目を境にして第２の仕切板と共通な構成による第４の仕切板が設けられ、第１の側板、第２の側板、第３の側板および第４の側板が縦方向の第１の折り目、第２の折り目、第３の折り目を介してそれぞれ内側に折曲されることにより、平面から見て方形に組み合わされ
、第１の仕切板および第３の仕切板をそれぞれの仕切用の折り目を介して内側へ直角方向に折曲させるとともに、第１の底板および第３の底板を前記の第１の仕切板および第３の仕切板と併せ、前記の横方向の折り目を介して内側へ直角方向に折曲させることにより、内側の包装箱本体の底部を設け、第２の仕切板および第４の仕切板をそれぞれの仕切用の折り目を介して内側へ直角方向に折曲させるとともに、第２の底板および第４の底板を前記の第２の仕切板および第４の仕切板と併せ、前記の横方向の折り目を介して内側へ直角方向に折曲させることにより、前記の第２の仕切板および第４の仕切板をそれぞれ第１の底板および第３の底板の設けられた該仕切板用スリットに挿入することにより、外側の包装箱本体の底部が設けられてなることを特徴とする。
【発明の効果】
【００１６】
この発明の第１番目の発明の課題解決手段は、上記の構成であるから、使い勝手の良さに優れ、組立ておよび解体に際して煩雑さが少ない。
そして、積み重ね時において、上位の包装用箱の差込孔を下位の包装用箱の差込片に挿入することにより、上位の包装用箱は差込片の高さに追従して下位の包装用箱の開口部側へ降下するので、上下の包装用箱の前後および左右方向の妄動を抑制できる。
第２の側板と第４の側板の高さは第１の側板と第３の側板の高さより高いから、上位の包装用箱の差込孔を下位の包装用箱の差込片に挿入することにより、上方に位置する包装用箱の底側の第２の側板と第４の側板の外側面は、下方に位置する第２の側板と第４の側板の内側面により保持されることにより、差込孔と差込片の制御と相俟って上方に位置する包装用箱の第２の側板と第４の側板間方向に妄動しない。
その上、第１の側板と第３の側板が倒立台形であることにより、包装用箱の開口部側の第２の側板と第４の側板間の間隔は第１の側板と第３の側板の形態に支配され、底側の間隔に比較して大きくなるから、積み重ね時に包装用箱を第２の側板と第４の側板間に挿入し易い。
さらに、第２の側板と第４の側板は台形であるから、包装用箱の底部側の長さは開口部側の長さに比較して長く形成されるから、包装用箱の積み重ね時に上方の該箱を下方の該箱上に載置し易く、差込孔と差込片の制御と相俟って前後方向にずれるおそれがない（図４、図５、図１０、図１１を参照）。
【００１７】
この発明の第２番目の発明の課題解決手段は、上記の構成であるから、第１番目の発明の課題解決手段が奏する効果のほか、第１の側板と第４の側板のそれぞれの係止片を互いに内側に向けて折曲させるとともそれぞれの切り込みを互いに嵌合させることにより、第１の側板と第４の側板を糊付けやテープ止めを行うことなく簡便に結合できるという利点がある。
【００１８】
この発明の第３番目の発明の課題解決手段は、上記の構成であるから、第１番目または第２番目の発明の課題解決手段が奏する効果のほか、包装箱本体の底部を第１の底板および第３の底板の組と第２の底板および第４の底板の組により、
内外の二重底を設けることができるから、底部の強化を図ることができる。
その上、第１の仕切板および第３の仕切板の組と第２の仕切板および第４の仕切板の組をそれぞれ内側に折曲させることにより、十字状の個包装箱を収納する４個の升目を手軽に得ることができる。
また、第２の仕切板および第４の仕切板を第１の底板２４および第３の底板２８上に折り重ねることにより、４個の升目が２個に減少するものの、４個の場合の升目の大きさに比較して２倍の大きさの升目を得ることを手軽に得られるから、包装用箱を二通に使用できる（図８、図９を参照）。
【発明を実施するための最良の形態】
【００１９】
積み重ね時の複数個の包装用箱の転倒を防ぐ目的を、一対の倒立台形の第１の側板および第３の側板が対向して配置され、一対の台形の第２の側板および第４の側板が対向して配置されれるとともに、第２の側板および第４の側板の高さを第１の側板および第３の側板の高さより高くするという簡素な構成により実現した。
【実施例１】
【００２０】
以下この発明の実施例１の形態を図面１を参照して説明する。
この発明の基本的構成は、当業界でＡ式段ボール箱と称されているもので、展開状態において、共通の横方向の折り目３２を境に一側に第１の側板１２、第２の側板１４、第３の側板１６および第４の側板１８の４枚の側板が設けられている（図１を参照）。
実施例１は追って説明する実施例２とともに、その材質は段ボールを採用したが、クラフト紙など他の材料を選択することを妨げるものではない。
【００２１】
これらの４枚の側板１２、１４、１６、１８は、追って詳細を説明するが、それぞれの輪郭に特徴があり、それぞれの４枚の側板が隣接する縦方向の折り目２０ａ、２０ｂ、２０ｃによって一連不可分に連設されている（図１を参照）。
【００２２】
共通の横方向の折り目３２を境にしてその一側に倒立台形の第１の側板１２、台形の第２の側板１４、第１の側板１２と共通の倒立台形の第３の側板１６および第２の側板１４と共通な台形の第４の側板１８が互いに隣接するそれぞれの縦方向に傾斜した第１の折り目２０ａ、第２の折り目２０ｂ、第３の折り目２０ｃを介して一連不可分に設けられている（図１を参照）。
【００２３】
前記したように、第１の側板１２と第３の側板１６の輪郭は倒立台形であり、他方、第２の側板１４と第４の側板１８の輪郭は台形であるから、これらの隣接する第１の折り目２０ａ、第２の折り目２０ｂ、第３の折り目２０ｃは、各側板の輪郭に支配される。
図１に示されるように、第１の側板１２と第２の側板１４の境の第１の折り目２０ａは、第２の側板１４から見れば、第２の側板１４の外側縁から横方向の折り目３２にかけて外側に一定の角度により傾斜させて設けられている（図１を参照）。
一方、第１の側板１２から見れば、内側に一定の角度により傾斜させて設けられていることになる。
【００２４】
第２の側板１４と第３の側板１６の境の第２の折り目２０ｂは第２の側板１４から見れば、その輪郭に支配され、第１の折り目２０ａの傾斜方向と対称に第２の側板１４の外側縁から横方向の折り目３２にかけて外側に一定の角度により傾斜させて設けられている（図１を参照）。
一方、第３の側板１６から見れば、内側に一定の角度により傾斜させて設けられていることになる。
【００２５】
第３の側板１６と第４の側板１８の境の第３の折り目２０ｃは、第１の折り目２０ａと同様に、第４の側板１８から見れば、第４の側板１８の外側縁から横方向の折り目３２にかけて外側に一定の角度により傾斜させて設けられている（図１を参照）。
一方、第３の側板１６から見れば、内側に一定の角度により傾斜させて設けられていることになる。
【００２６】
この傾斜角度は、包装箱用台紙１０ａを包装用箱１０Ａとして組立て、上下方向に積み重ねる場合に備え、両側に立起されるこになる第２の側板１４および第４の側板１８の厚みにより異なるが、包装用箱１０Ａの高さによっても支配される。
この傾斜角度について、下記に数式の実用的な例を示す。
【００２７】
（数１）
（ａ−ｂ）÷ｌ＝Ｘ
【００２８】
図５を参照し、第１の側板１２および第３の側板１６の高さを「ｌ」とし、開口部側の幅を「ａ」（垂直線と輪郭線の間隔）とし、底側の幅を「ｂ」（第１の側板１２または第３の側板１６の肉厚に等しい）としたとき、その傾斜角度は
前記したように、（ａ−ｂ）÷ｌ＝Ｘとして算出できる。
因みに、「ｌ」を１００ｍｍ、「ａ」を６ｍｍ、「ｂ」を３ｍｍとすれば、傾斜角度Ｘは１００分の３として算出できる。
【００２９】
４枚の側板のうち、組立時に対向することになる第２の側板１４および第４の側板１８の横方向の折り目３２から横方向の折り目３２と平行側の外側縁に至る高さαが第１の側板１２および第３の側板１６の横方向の折り目３２から横方向の折り目３２と平行側の外側縁に至る高さβに比較して高く設けられている。
前記した高さは、包装用箱１０Ａとして使用する場合の箱１０Ａの高さを設定するものである（図２〜図５を参照）。
【００３０】
なお、第１の側板１２および第３の側板１６の横方向の折り目３２と平行側の外側縁とは、追って説明する差込片３６の外側縁を指称するものではなく、その両側に存在する縁のことである。
第２の側板１４および第４の側板１８の前記した高さαが、第１の側板１２および第３の側板１６の前記した高さβに比較して高いことを説明したが、高く突出している部分を説明の便宜上、突出部１４ａ、１８ａと称する。
【００３１】
包装用箱１０Ａの積み重ね時の安定性を意図し、横方向の折り目３２と平行側の第１の側板１２と第３の側板１６の外側縁に細長い差込片３６、３６がそれぞれ設けられ、第１の側板１２と第３の側板１６とそれぞれの底板２４、２８との境に前記した細長い差込片３６、３６に対応した差込孔３８、３８が設けられている。
【００３２】
また、これらの差込孔３８の第１の側板１２側および第３の側板１６側であってその中央部に半円形の切り欠き４０が設けられている。
この切り欠き４０は、複数個の包装用箱１０Ａを上下に積み重ねる場合と包装用箱１０Ａの解体に備え、包装用箱１０Ａの作業の容易性のため指先を挿入できるように意図されたものである。
【００３３】
一方、その折り目３２を境にしてその他側には、第１の底板２４、第２の底板２６、第３の底板２８および第４の底板３０が設けられている。
そして、これらの４枚の底板２４、２６、２８、３０は横方向の折り目３２を境に、第１の側板１２には第１の底板２４が、第２の側板１４には第２の底板２６が、第３の側板１６には第３の底板２８が、第４の側板１８には第４の底板３０がそれそれ折り畳み自在に連設されている。
【００３４】
これらの４枚の底板２４、２６、２８、３０は、底部を構成するのに、糊付けやテープ止めを不要にするため、それぞれの形態に特徴があるから以下に敷衍する。
第１の底板２４は、概ね半裁台形状を呈しており、以下に説明する一方の係止片２２ａ側の外側縁が係止片２２ａ側から第２の底板２６側にかけて内側に傾斜されることにより傾斜部２４ａとなっている。
他方、第１の底板２４の第２の底板２６側は垂直に形成され、前記の横方向の折り目３２と平行側の外側縁には細長い突出部２４ｂが形成されている。
【００３５】
第２の底板２６は、全体として倒立三角形を呈しており、横方向の折り目３２と平行側の外側縁には、細長い干渉部２６ａが形成されている。
【００３６】
第３の底板２８は、前記した第１の底板２４と対称に設けられ、傾斜部２８ａ、細長い突出部２８ｂが形成され、第２の底板２６側は垂直に形成されている。
【００３７】
第４の底板３０は、全体として長方形を呈しており、第３の底板２８側と他方の係止片２２ｂ側にそれぞれ外側にかけて切り欠き３０ａが設けられている。
横方向の折り目３２と平行側の外側縁に前記の第２の底板２６の干渉部２６ａ
に対応する被干渉部として細長い切り欠き３０ｂが形成されている。
この細長い切り欠き３０ｂの両側にそれぞれ細長い突起部３０ｃが横方向の折り目３２と平行に形成されている。
【００３８】
なお、前記した切り欠き３０ａは、被干渉部として設けられた細長い切り欠き３０ｂ側に設けられているが、前記の差込片３６を差込孔３８に挿入したときに
、差込孔３８を塞ぐことのないように配慮されたものであり、第４の底板３０の両側をえぐるようにして形成されている。
【００３９】
４枚の側板を方形に組み立てたときに、隣接する第１の側板１２と第４の側板１８を糊付けやテープ止めを行うことなく、簡便に両者の結合を意図して、第１の側板１２と第４の側板１８の外側にそれぞれ好ましくは係止片２２ａ、２２ｂが設けられている。
【００４０】
第１の側板１２と第４の側板１８のそれぞれの外側に、一組の係止片２２ａ、２２ｂが対称に設けられている。
一方の係止片２２ａと第１の側板１２との境において、第１の側板１２の一方の係止片２２ａ側の輪郭に沿わせ、第１の側板１２の外側から横方向の折り目３２に向けて該係止片２２ａの途中まで内側に傾斜した係止片用折り目２０ｄが設けられるとともに該係止片用折り目２０ｄの延長先に該係止片用折り目２０ｄの傾斜勾配と共通の勾配による切り込み３４ａが設けられている。
第４の側板１８と他方の係止片２２ｂの境において、一方の係止片２２ａと第１の側板１２との境に設けられた前記の係止片用折り目２０ｄおよび切り込み３４ａと対称な係止片用折り目２０ｅおよび切り込み３４ｂが設けられている。
【００４１】
そこで、この実施例１による包装箱用台紙１０ａを組み合わせて包装用箱１０Ａを組み立てる工程を説明する。
（１）包装箱用台紙１０ａの４枚の各側板１２、１４、１６、１８間に形成された縦方向の３本の折り目２０ａ、２０ｂ、２０ｃを境にして第１の側板１２、第２の側板１４、第３の側板１６および第４の側板１８を内側に向けて方形状に折り込む。
【００４２】
（２）包装箱用台紙１０ａを方形状に折り込むことにより、第１の側板１２に設けた係止片２２ａと第４の側板１８に設けた係止片２２ｂは互いに対称な形態を保ちつつ、向かい合うことになるが、これらの両係止片２２ａ、２２ｂをそれぞれの折り目２０ｄ、２０ｅを境にして内側へ向けて断面がＬ字状になるように折曲させる一方、折り目２０ｄ、２０ｅ線の延長上に形成されたそれぞれの切り込み３４ａ、３４ｂを互いに差し込んで両係止片３４ａ、３４ｂを装着させる
。
かくして、包装箱用台紙１０ａは上下が開放された方形状のものとして構成される。
【００４３】
次に図２を参照して明らかなように、４片からなる底板を内側に向けて折曲させ、これらの４枚の底板を組み込むことにより、底板にテープを貼り付けたり、糊付けすることなく、包装用箱１０Ａの底部を形成できる。
【００４４】
これらの４枚の底板を組み込む工程は、知られているとおりであるから、詳細については省略するが、（３）第４の底板３０を横方向の折り目３２を介して直角に内側に向けて折曲する。
かくして、第４の底板３０の切り欠き３０ｂは包装用箱１０Ａの中央部に臨むことになる。
【００４５】
（４）次に両側に位置する第１の底板２４と第３の底板２８をそれぞれ横方向の折り目３２を介して内側に向け、かつ、先に折曲させた第４の底板３０の外側に直角に折曲させる。
かくして、第１の底板２４の突出部２４ｂと第３の底板２８の突出部２８ｂは互いに向き合うことになり、両者の傾斜部２４ａ、２８ａは第４の底板３０の突起部３０ｃ側を覆うことになる。
【００４６】
（５）次いで、第２の底板２６を横方向の折り目３２を介して内側に向け、直角に折曲させ、第１の底板２４と第３の底板２８の外側に位置させるが、このとき、第１の底板２４と第３の底板２８を内側に押圧させるとともに、第４の底板３０も押圧することになる。
第２の底板２６をさらに押圧することにより、第４の底板３０が強制的に第２の底板２６の２６ａの押圧力に支配され、内側に向けて傾斜される。
そこで、第２の底板２６をさらに押圧させることにより、第２の底板２６の干渉部２６ａは第４の底板３０の切り欠き３０ｂの内縁を超えてその内側に進入するとともに、内側に傾斜した第４の底板３０が水平方向に復元する。
かくして、これらの４枚の底板が互いに干渉することにより、包装用箱１０の底部は糊付けやテープ止めを行うことなく、簡便に形成できる。
【００４７】
このことは、使用後に解体し、扁平な台紙１０ａに復元し、搬送する場合に備えて手軽に実施できる。
【００４８】
次に、前記した包装用箱１０Ａを三段に積み重ねる場合について図３、図４、図５を参照して説明する。
（６）第１段目の包装用箱１０n-1の上に第２段目の包装用箱１０n-2を、第３段目の包装用箱１０n-3をそれぞれの方向を統一して積み重ねる場合である。
下位に位置する第１段目の包装用箱１０n-1の第１の側板１２および第３の側板１６に設けられた差込片３６、３６を上位に位置する第２段目の包装用箱１０n-2の差込孔３８、３８へ差し込む。
【００４９】
（７）このとき、第１の側板１２および第３の側板１６は、前記したように倒立台形に設けられていることにより、換言すれば、包装用箱１０Ａの底板側の長さに対して包装用箱１０Ａの開口側の長さが大きい。
したがって、第１の側板１２および第３の側板１６に連設されている第２の側板１４と第４の側板１８はそれぞれ台形であるものの、倒立台形の第１の側板１２および第３の側板１６の形態に追従して底板側の両者１４、１８間の間隔は第１の側板１２および第３の側板１６のそれぞれの底板側の長さと一致して短く、包装用箱１０の開口側の長さが大きい。
【００５０】
図４、図５を参照して明らかなように、第１段目の包装用箱１０n-1の上に第２段目の包装用箱１０n-2を、第３段目の包装用箱１０n-3を積み重ねた場合、上位に位置する包装用箱の第２の側板１４および第４の側板１８は、下位に位置する包装用箱の第２の側板１４および第４の側板１８の前記のそれぞれの突出部１４ａ間に支持される。
【００５１】
この場合、前記の「ａ」（図５を参照）が第２の側板１４および第４の側板１８の２枚分の肉厚に対応していることにより、上位に位置している第２段目の包装用箱１０n-2の第２の側板１４および第４の側板１８のそれぞれの底板側の外側面と下位に位置している第１段目の包装用箱１０n-1の第２の側板１４および第４の側板１８のそれぞれの包装用箱の開口側の内側面との間に隙間を生じることなく、上位の第２段目の包装用箱１０n-2は、下位の第１段目の包装用箱１０n-1により支持されることになり、両者の箱は互いに積み重ねた状態においての妄動するおそれがない。
【００５２】
第３段目の包装用箱１０n-3を第２段目の包装用箱１０n-2上に積み重ねた場合については、前記した第１段目の包装用箱１０n-1の上に第２段目の包装用箱１０n-2を積み重ねた場合と共通であるから、前記の説明を援用する。
【実施例２】
【００５３】
この実施例２は、実施例１と比較し、仕切板の有無の相違があるものの、他の構成は本質的に相違しない。
したがって、共通な構成については、前記の実施例１の説明を援用し、相違する構成について言及する。
図面の符合についても共通部分は説明の便宜上、断りのない限り共通に表してある。
【００５４】
この実施例２の包装用台紙５０ａは、先に説明した実施例１の該台紙１０ａと同様に、包装用台紙５０ａの横方向の折り目３２の一側に、第１の側板１２、第２の側板１４、第３の側板１６、第４の側板１８が縦方向の第１の折り目２０ａ、第２の折り目２０ｂ、第３の折り目２０ｃを介して一連不可分に連設されている
。
【００５５】
これらの４枚の側板のうち、第２の側板１４と第４の側板１８において、前記の横方向の折り目３２と平行側の外側縁の一部を横方向の折り目３２側にかけて切り欠くことにより一対の切り欠き部１４ｂ、１８ｂがそれぞれ形成されている
。
これらの切り欠き部１４ｂ、１８ｂは、包装用箱５０Ａの使用時において、収納されたたとえば、苺の個包装箱を取り出すのに指を挿入できることを意図したものである。
【００５６】
第１の側板１２と第４の側板１８のそれぞれの外側に、実施例１と共通の係止片用折り目２０ｄ、２０ｅ、切り込み３４ａ、３４ｂを備えた係止片２２ａ、ｂが設けられている。
【００５７】
前記した横方向の折り目３２の他側には、実施例１と同様に４枚の底板２４、２６、２８、３０が設けられている。
また、第１の側板１２と第１の底板２４との境、第３の側板１６と第３の底板２８の境には、実施例１と同様にそれぞれ差込孔３８が差込片３６に対応させて形成されている。
【００５８】
次に実施例１と相違する構成についてさらに説明する。
前記した４枚の底板のうち、第１の底板２４および第３の底板２８のそれぞれの他側にそれぞれの折り目５２ａ、５６ａを介して中央部に縦方向の仕切用差込孔６０を備えた第１の仕切片５２および第３の仕切片５６が設けられている。
【００５９】
また、第２の底板２６および第４の底板３０のそれぞれの外側に第２の仕切片５４および第４の仕切片５８が設けられている。
【００６０】
第１の底板２４と第１の仕切片５２の境に前記の横方向の折り目３２と平行に第１の仕切用折り目５２ａが設けられている。
そして、この第１の仕切用折り目５２ａ線上の両側に細いそれぞれスリット５２ｂが設けられている。
また、折り目５２ａ線上の中央に円形孔５２ｄが設けられている。
前記の縦方向の仕切用差込孔６０は、第１の側板１２と第１の底板２４の境に設けた差込孔３８から前記の第２の横方向の折り目５２ａにかけて形成されている。
さらに、第１の仕切片５２において、前記の第２の横方向の折り目５２ａと平行側の外側縁に第２の側板１４に設けた切り欠き部１４ｂと対称な一対の切り欠き部５２ｅが一定の間隔を隔てて形成されている。
そして、これらの両切り欠き部５２ｅ間に比較的細いスリット５２ｃが設けられている。
【００６１】
第３の底板２８の他側に設けられた第３の仕切片５６の構成は、前記した第１の仕切片５２の構成と同一であるから、前記の説明を援用する。
【００６２】
第２の底板２６と第２の仕切片５４との境には、前記した第２の側板１４側の横方向の折り目３２と平行に一定の間隔を隔てて好ましくは２本の横方向の折り目５４ａ、５４ｂが設けられている。
詳細については、追って説明するが、肉厚の底板を二重に折り重ねて使用するのに備えて折り目５４ａ、５４ｂが二段に分けて設けられている。
そして、２本の折り目５４ａ、５４ｂを共有してこれらの中央に円形孔５４ｄが設けられている。
【００６３】
第２の仕切片５４の前記した２本の折り目５４ａ、５４ｂと直角方向に第２の仕切片５４の外側の中央から前記した２本の折り目５４ａ、５４ｂに向けてスリット５４ｃが設けられている。
このスリット５４ｃの間隔は、外側が狭く、２本の折り目５４ａ、５４ｂ側が広いことが希望される。
【００６４】
第２の底板２６から第２の仕切片５４の両側にかけて浅い切り込み５４ｅが設けられている。
【００６５】
第２の仕切片５４の外側から内側に向けて前記したスリット５４ｃの両側に第２の側板１４に設けられた切り欠き部１４ｂと対称な一対の切り欠き部５４ｆが設けられている。
【００６６】
第４の底板３０の他側に設けられた第４の仕切片５８の構成は、前記した第２の仕切片５４の構成と同一であるから、前記の説明を援用する。
【００６７】
そこで、この実施例２による包装箱用台紙５０ａを組み合わせて包装用箱５０Ａを組み立てる工程を説明する。
（１）包装箱用台紙５０ａの４枚の各側板１２、１４、１６、１８間に形成された縦方向の３本の折り目２０ａ、２０ｂ、２０ｃを境にして第１の側板１２、第２の側板１４、第３の側板１６および第４の側板１８を内側に向けて方形状に折り込む。
【００６８】
係止片２２ａ、２２ｂをそれぞれの折り目２０ｄ、２０ｅを境にして折曲させる一方、折り目２０ｄ、２０ｅ線の切り欠き３４ａ、３４ｂを互いに差し込んで両係止片３４ａ、３４ｂを装着させることは実施例１と同じである。
。
【００６９】
（２）第１の仕切板５２および第３の仕切板５６をそれぞれの仕切用の折り目５２ａ、５６ａを介して内側へ直角方向へ折曲させるとともに、第１の底板２４および第３の底板２８を前記の第１の仕切板５２および第３の仕切板５６と併せ、前記の横方向の折り目３２を介して内側へ直角方向へ折曲させることにより内側の包装箱本体の底部を設ける（図７、図８を参照）。
【００７０】
第２の仕切板５４および第４の仕切板５８をそれぞれの仕切用の折り目５４ａ、５８ａを介して内側へ直角方向へ折曲させるとともに、第２の底板２６および第４の底板３０を前記の第２の仕切板５４および第４の仕切板５８と併せ、前記の横方向の折り目３２を介して内側へ直角方向へ折曲させることにより、前記の第２の仕切板５４および第４の仕切板５８をそれぞれ第１の底板２４および第３の底板２８の設けられた該仕切板用スリット６０、６０に挿入することにより、
外側の包装箱本体の底部が設けられてなる包装用箱５０Ａを得る（図８を参照）。
【００７１】
次に、前記した包装用箱５０Ａを三段に積み重ねる場合について図９、図１０、図１１を参照して説明する。
もっとも、三段に積み重ねる場合の要領は、前記した実施例１の要領とそっくり共通であるから、援用してその説明を省略する。
【図面の簡単な説明】
【００７２】
【図１】包装用箱の実施例を示した展開図である（実施例１）。
【図２】包装用箱の実施例を示した斜視図である（実施例１）。
【図３】包装用箱の実施例を三段に積み重ねた状態を示す斜視図である（実施例１）。
【図４】包装用箱の実施例を三段に積み重ねた状態を示す側面図である（実施例１）。
【図５】包装用箱の実施例を三段に積み重ねた状態を示す正面図である（実施例１）。
【図６】包装用箱の実施例を示した展開図である（実施例２）。
【図７】包装用箱の実施例を示した組立時の分解斜視図である（実施例２）。
【図８】包装用箱の実施例を示した斜視図である（実施例２）。
【図９】包装用箱の実施例を三段に積み重ねた状態を示す斜視図である（実施例２）。
【図１０】包装用箱の実施例を三段に積み重ねた状態を示す側面図である（実施例２）。
【図１１】包装用箱の実施例を三段に積み重ねた状態を示す正面図である（実施例２）。
【符号の説明】
【００７３】
１０ａ  包装箱用台紙
１０Ａ  包装用箱
１０ｎ−１  第１番目の包装用箱
１０ｎ−２  第２番目の包装用箱
１０ｎ−３  第３番目の包装用箱
１２  第１の側板
１４  第２の側板
１４ａ  突起部
１４ｂ  切り欠き部
１６  第３の側板
１８  第４の側板
１８ａ  突起部
１８ｂ  切り欠き部
２０ａ  第１の折り目
２０ｂ  第２の折り目
２０ｃ  第３の折り目
２０ｄ  係止片用折り目
２０ｅ  係止片用折り目
２２ａ  係止片
２２ｂ  係止片
２４  第１の底板
２４ａ  傾斜部
２４ｂ  突出部
２６  第２の底板
２６ａ  干渉部
２８  第３の底板
２８ａ  傾斜部
２８ｂ  突出部
３０  第４の底板
３０ａ  切り欠き
３０ｂ  切り欠き
３０ｃ  突起部
３２  横方向の折り目
３４ａ  切り込み
３４ｂ  切り込み
３６  差込片
３８  差込孔
４０  半円形の切り欠き
５０ａ  包装箱用台紙
５０Ａ  包装用箱
５０ｎ−１  第１番目の包装用箱
５０ｎ−２  第２番目の包装用箱
５０ｎ−３  第３番目の包装用箱
５２  第１の仕切片
５２ａ  折り目
５２ｂ  スリット
５２ｃ  スリット
５２ｄ  円形孔
５２ｅ  切り欠き部
５４  第２の仕切片
５４ａ  折り目
５４ｂ  折り目
５４ｃ  スリット
５４ｄ  円形孔
５４ｅ  切り込み
５４ｆ  切り欠き部
５６  第３の仕切片
５６ａ  折り目
５６ｂ  スリット
５６ｃ  スリット
５６ｄ  円形孔
５６ｅ  切り欠き部
５８  第４の仕切片
５８ａ  折り目
５８ｂ  折り目
５８ｃ  スリット
５８ｄ  円形孔
５８ｅ  切り込み
５８ｆ  切り欠き部
６０    仕切用差込孔
α  第２の側板および第４の側板の高さ
β  第１の側板および第３の側板の高さ
【図１】
2006327635.tif 000003
【図２】
2006327635.tif 000004
【図３】
2006327635.tif 000005
【図４】
2006327635.tif 000006
【図５】
2006327635.tif 000007
【図６】
2006327635.tif 000008
【図７】
2006327635.tif 000009
【図８】
2006327635.tif 000010
【図９】
2006327635.tif 000011
【図１０】
2006327635.tif 000012
【図１１】
2006327635.tif 000013